(57)【要約】      （修正有）【課題】取り付けが簡便で、定位が便利で、しかも古い窓枠を効果的に隠すことができ、美観の作用を達成する窓枠カバーモジュールを提供する。【解決手段】窓枠カバーモジュール１００は古い窓枠２００に用い、窓カバー本体１０及び一或いは複数の遮蔽板２０を備え、窓カバー本体１０は一対の第三枠フレーム１３が相互に相対して配置し、しかも第一枠フレーム及び第二枠フレーム１２と相互に連接し取り囲んで構成し、第二枠フレーム１２、各第三枠フレーム１３と古い窓枠２００の間には間隔空間ｓを形成し、遮蔽板２０は第一板体２１、第一板体２１と相互に垂直な第二板体２２及び第二板体２２に開設する欠口を備え、第二板体２２は窓カバー本体１０と古い窓枠２００との間に挿入して設置され、第一板体２１は窓カバー本体１０に接続し、間隔空間ｓを遮蔽し、これにより取り付けが簡便で、定位が便利で、しかも古い窓枠２００を効果的に隠すことができ、こうして美観の作用を達成する。【選択図】図６
0003211241.tif 000002
【実用新案登録請求の範囲】
【請求項１】
窓枠カバーモジュールは、古い窓枠に用い、該窓枠カバーモジュールは、窓カバー本体、少なくとも１個の遮蔽板を備え、
該窓カバー本体は、該古い窓枠内側に取り付けられ、該窓カバー本体は、第一枠フレーム、第二枠フレーム、一対の第三枠フレームを有し、
該第一枠フレーム外周縁の両側は、２個の第一延伸板を延伸し、Ｕ形収容槽を形成し、
該第二枠フレームと該第一枠フレームは相対して配置し、該第二枠フレーム外周縁の片側は、第二延伸板を延伸し、第一Ｌ形収容槽を形成し、
該一対の第三枠フレームは相互に相対して配置され、しかも該第一枠フレーム及び該第二枠フレームと連接して取り囲み枠体を形成し、該各第三枠フレーム外周縁の片側は、第三延伸板を延伸し、第二Ｌ形収容槽を形成し、該一対の第三枠フレーム一端には、該Ｕ形収容槽と相互に対応するＵ形欠口を設置し、反対端には、該第一Ｌ形収容槽と相互に対応するＬ形欠口を設置し、該第二枠フレーム、該各第三枠フレームと該古い窓枠の間には、間隔空間を形成し、
該少なくとも１個の遮蔽板は、第一板体、該第一板体と相互に垂直な第二板体及び該第二板体に開設する欠口を備え、該第二板体は、該窓カバー本体と該古い窓枠との間に挿入して設置され、該第一板体は、該窓カバー本体に接続し、該間隔空間を遮蔽することを特徴とする窓枠カバーモジュール。
【請求項２】
前記遮蔽板は、該第一板体と該第二板体にそれぞれ連接する屈折部、及び屈折部から延伸するサポート部を備えることを特徴とする請求項１に記載の窓枠カバーモジュール。
【請求項３】
前記サポート部一端は、該屈折部に連接し、該第二板体に隣接し、
該サポート部の反対端は、該窓カバー本体に接触することを特徴とする請求項２に記載の窓枠カバーモジュール。
【請求項４】
前記サポート部は、該屈折部に連接する連接セクション及び該連接セクションに垂直に連接する受け止めセクションを備えることを特徴とする請求項２に記載の窓枠カバーモジュール。
【請求項５】
前記受け止めセクションは、該第二板体に平行で、
該連接セクションは、該第一板体に平行であることを特徴とする請求項４に記載の窓枠カバーモジュール。
【請求項６】
前記窓枠カバーモジュールは、該各遮蔽板とそれぞれ接続する補助板をさらに備え、該遮蔽板の数は２個で、
該補助板と該２個の遮蔽板はそれぞれ取り囲んで逆Ｕ字形を形成し、該補助板は、該第二枠フレームに接続し、該２個の遮蔽板は、該一対の第三枠フレームにそれぞれ接続し、
該補助板と該２個の遮蔽板は、該間隔空間及び該古い窓枠を共同で遮蔽することを特徴とする請求項１に記載の窓枠カバーモジュール。
【請求項７】
前記２個の遮蔽板の該各第二板体と相互に対応する両端には、それぞれ該欠口を開設し、
該欠口は、該古い窓枠に対応して設置され、しかも該２個の補助板の両端もまた、それぞれ該欠口に対応して設置されることを特徴とする請求項６に記載の窓枠カバーモジュール。
【請求項８】
前記Ｕ形欠口は、該Ｕ形収容槽及び該第二Ｌ形収容槽に連通し、
該Ｌ形欠口は、該第一Ｌ形収容槽及び該第二Ｌ形収容槽に連通することを特徴とする請求項１、２、３、４、５或いは７に記載の窓枠カバーモジュール。
【請求項９】
前記第一枠フレームは、該Ｕ形収容槽の底部に、階段状底壁を形成し、
該Ｕ形欠口の底部には、該階段状底壁に対応し、階段状底縁を形成することを特徴とする請求項１、２、３、４、５或いは７に記載の窓枠カバーモジュール。
【請求項１０】
前記階段状底壁は、該枠体内に形成される第一底壁及び第二底壁を備え、
該第一底壁の高さは、該第二底壁の高さより高く、高低位差を形成することを特徴とする請求項９に記載の窓枠カバーモジュール。
【請求項１１】
前記第一底壁は、第一スライドレールを備え、
該第二底壁は、第二スライドレールを備えることを特徴とする請求項１０に記載の窓枠カバーモジュール。
【請求項１２】
前記第一枠フレームのその内の１個の該第一延伸板は、第一頂端を備え、もう１個の該第一延伸板は、第二頂端を備え、
該第一頂端の高さは、該第二頂端の高さより高く、高低位差を形成することを特徴とする請求項１、２、３、４、５或いは７に記載の窓枠カバーモジュール。
【考案の詳細な説明】
【技術分野】
【０００１】
本考案は窓枠カバーモジュールに関し、特に古い窓枠上に取り付ける窓枠カバー構造及び遮蔽板構造である窓枠カバーモジュールに関する。
【背景技術】
【０００２】
従来のドア枠や窓枠を交換する方法は、特許文献１に開示するように、ドア枠のフレームを新しくするものである。
それは、先ず古い窓枠の下枠と上枠の両端を裁断しなければ、古い窓枠の形状に合わせて新窓枠を取り付けることはできない。
こうして、新しい窓枠により、古い窓枠を覆ってしまうが、これではドア枠や窓枠を交換する工程には時間がかかり過ぎる。
【０００３】
しかし、上述のドア枠や窓枠を交換する方法は、時間とコストがかかるだけでなく、破壊性施工であるため、窓枠構造及びコンクリート壁構造に対して予期せぬ損害を与えることがしばしば発生する。
よって、いかにして新窓枠を古い窓枠上に直接被せて設置し、再施工を省き、こうして古い窓枠に置換し新窓枠とするかは、ドア枠業界にとって重要な課題である。
【先行技術文献】
【特許文献】
【０００４】
【特許文献１】台湾実用新案登録第Ｍ３０９６００号
【考案の概要】
【考案が解決しようとする課題】
【０００５】
本考案は、窓本体をカバーすることで、古い窓枠上に直接被せて設置し、こうして古い窓枠に代わり新しい窓枠を形成し、遮蔽板抵接於窓カバー本体並遮蔽窓カバー本体と古い窓枠の間の間隔空間，以達到取り付けが簡便で、定位が便利で、しかも古い窓枠を効果的に隠すことができ、こうして美観の作用を達成する窓枠カバーモジュールを提供する。
【課題を解決するための手段】
【０００６】
本考案による窓枠カバーモジュールは、古い窓枠に用い、該窓枠カバーモジュールは、窓カバー本体、少なくとも１個の遮蔽板を備える。
該窓カバー本体は、該古い窓枠内側に取り付け、該窓カバー本体は、第一枠フレーム、第二枠フレーム及び一対の第三枠フレームを備え、
該第一枠フレームの外周縁の両側は、２個の第一延伸板を延伸し、Ｕ形収容槽を形成し、
該第二枠フレームと該第一枠フレームは相対して配置し、該第二枠フレーム外周縁の片側は、第二延伸板を延伸し、第一Ｌ形収容槽を形成し、
該一対の第三枠フレームは、相互に相対して配置され、しかも該第一枠フレーム及び該第二枠フレームと連接し取り囲んで枠体を形成し、該各第三枠フレーム外周縁の片側は、第三延伸板を延伸し、第二Ｌ形収容槽を形成し、該一対の第三枠フレーム一端には、該Ｕ形収容槽と相互に対応するＵ形欠口を設置し、反対端には、該第一Ｌ形収容槽と相互に対応するＬ形欠口を設置し、該第二枠フレーム、該各第三枠フレームと該古い窓枠の間には、間隔空間を形成し、
該少なくとも１個の遮蔽板は、第一板体、該第一板体と相互に垂直な第二板体及び該第二板体に開設する欠口を備え、該第二板体は、該窓カバー本体と該古い窓枠との間に挿入して設置され、該第一板体は、該窓カバー本体に接続し、該間隔空間を遮蔽する。
【考案の効果】
【０００７】
本考案の窓枠カバーモジュールは、以下の効果を備える。
1. 遮蔽板の数は２個で、各遮蔽板の第二板体と相互に対応する両端には、それぞれ欠口を開設し、欠口は対応し、古い窓枠を隠して設置し、これにより各遮蔽板の第二板体は間隔空間内に挿入され、しかも２個の遮蔽板と接続する補助板をさらに備え、取り囲んで逆Ｕ字形を形成し、各遮蔽板及び補助板は相互に接続して定位され、こうして間隔空間を遮蔽する美観効果を達成する。
2. 古い窓枠上のスライドレール及び凸リブは、Ｕ形収容槽、第一Ｌ形収容槽、第二Ｌ形収容槽、Ｕ形欠口及びＬ形欠口中に収容される。こうして窓枠カバーモジュールは、工場で組み立てを完成し、現場では古い窓枠上に直接被せて設置できるため、再施工が不要で、窓枠カバーモジュールは、古い窓枠に取って代わり、新しい窓枠を便利に形成することができる。
3. 第一枠フレーム外周縁の両側に、第一延伸板を延伸し、Ｕ形収容槽を形成し、第二枠フレーム外周縁の片側は、第二延伸板を延伸し、第一Ｌ形収容槽を形成する。これにより、枠体片側はＵ形造型で、反対側はＬ形造型で、こうして枠体は、古い窓枠に容易に取り付けられ、及び古い窓枠との間の間隔距離を縮められ、窓枠カバーモジュールは取り付けが便利で、枠口視野が大きいという長所を達成することができる。
4. 第一枠フレームのその内の１個の第一延伸板は第一頂端を備え、もう１個の第一延伸板は第二頂端を備え、第一頂端の高さは、第二頂端の高さより高く、高低位差を形成し、これにより窓枠カバーモジュールは、高さが低い第二頂端より、古い窓枠上に迅速に取り付けられ、窓枠カバーモジュールの取り付けの利便性を高めることができる。
【図面の簡単な説明】
【０００８】
【図１】本考案による窓カバー本体の立体模式図である。
【図２】本考案による窓カバー本体の使用状態模式図である。
【図３】本考案による遮蔽板の立体分解図である。
【図４】本考案による遮蔽板の立体組合せ図である。
【図５】本考案による遮蔽板の断面模式図である。
【図６】本考案による窓枠カバーモジュールの使用状態模式図である。
【図７】本考案による窓枠カバーモジュールの断面局部拡大模式図である。
【考案を実施するための形態】
【０００９】
図１〜図７に示すように、本考案による窓枠カバーモジュール１００は、窓カバー本体１０及び一或いは複数の遮蔽板２０を備える。
【００１０】
図１、図２に示すように、該窓カバー本体１０は、第一枠フレーム１１、第二枠フレーム１２及び一対の第三枠フレーム１３を備える。
【００１１】
該第一枠フレーム１１外周縁の両側は、２個の第一延伸板１１１を延伸し、Ｕ形収容槽１１２を形成する。
【００１２】
該第一枠フレーム１１は、Ｕ形収容槽１１２の底部に、階段状底壁１１２１を形成する。
【００１３】
該階段状底壁１１２１は、枠体１４内に形成する第一底壁１１２２及び第二底壁１１２４を備え、該第一底壁１１２２の高さは、第二底壁１１２４の高さより高く、高低位差ａ１を形成する。
【００１４】
該第一底壁１１２２は、第一スライドレール１１２３を備え、各第二底壁１１２４は、第二スライドレール１１２５を備え、これにより枠体１４の窓（図示なし）に取り付けスライドする。
【００１５】
該第一枠フレーム１１のその内の１個の第一延伸板１１１は、第一頂端１１１１を備え、もう１個の第一延伸板１１１は、第二頂端１１１２を備える。
【００１６】
該第一頂端１１１１の高さは、該第二頂端１１１２の高さより高く、高低位差ａ２を形成する。
【００１７】
これにより、窓枠カバーモジュール１００は、高さが低い第二頂端１１１２より、古い窓枠２００上に迅速に取り付けられ、窓枠カバーモジュール１００の取り付けの利便性を高めることができる。
【００１８】
図１、図２に示すように、該第二枠フレーム１２と該第一枠フレーム１１は相対して配置し、第二枠フレーム１２外周縁の片側は、第二延伸板１２１を延伸し、第一Ｌ形収容槽１２２を形成する。
【００１９】
図１、図２に示すように、該一対の第三枠フレーム１３は相互に相対して配置され、しかも第一枠フレーム１１及び第二枠フレーム１２と連接して取り囲み、枠体１４を形成する。
【００２０】
各第三枠フレーム１３外周縁の片側は、第三延伸板１３１を延伸し、第二Ｌ形収容槽１３２を形成する。
【００２１】
該一対の第三枠フレーム１３一端には、Ｕ形収容槽１１２と相互に対応するＵ形欠口１３３１を設置し、反対端には、第一Ｌ形収容槽１２２と相互に対応するＬ形欠口１３４１を設置する。
【００２２】
図６、図７に示すように、第二枠フレーム１２、各第三枠フレーム１３と古い窓枠１００の間には、間隔空間ｓを形成する。
【００２３】
該Ｕ形欠口１３３１は、Ｕ形収容槽１１２及び第二Ｌ形収容槽１３２に連通し、該Ｌ形欠口１３４１は、第一Ｌ形収容槽１１４及び第二Ｌ形収容槽１３２に連通する。
【００２４】
該Ｕ形欠口１３３１の底部には、階段状底壁１１２１に対応し、階段状底縁１３３２を形成する。
【００２５】
本実施例において、第一枠フレーム１１は、枠体１４の下方に形成されるが、第一枠フレーム１１は、枠体１４の上、左、右側に形成することもでき、実際の状況に応じて調整できるため、本実施例を制限するものではない。
【００２６】
図３〜図７に示すように、遮蔽板２は、第一板体２１、第一板体２１と相互に垂直な第二板体２２及び第二板体２２に開設される欠口２５を備える。
【００２７】
第二板体２２は、窓カバー本体１０と古い窓枠２００との間に挿入して設置され、第一板体２１は、窓カバー本体１０に接続し、間隔空間ｓを遮蔽する。
【００２８】
遮蔽板２は、第一板体２１と第二板体２２にそれぞれ連接する屈折部２３、及び屈折部２３から延伸するサポート部２４を備える。
【００２９】
サポート部２４一端は、屈折部２３に連接し、第二板体２２に隣接し、サポート部２４の反対端は、枠フレーム１に接触できる。
【００３０】
サポート部２４は、屈折部２３に連接する連接セクション２４３及び連接セクション２４３に垂直に連接する受け止めセクション２４１を備える。
【００３１】
受け止めセクション２４１は、第二板体２２に平行で、連接セクション２４３は、第一板体２１に平行で、これにより受け止めセクション２４１は、枠フレーム１に接続し、第二板体２２は、間隔空間ｓに進入でき、第一板体２１は、古い窓枠２００に接続し、間隔空間ｓを遮蔽する。
【００３２】
さらに、窓枠カバーモジュール１００は、該各遮蔽板２とそれぞれ接続する補助板２ａをさらに備える。
【００３３】
遮蔽板２の数は２個で、これにより補助板２ａと２個の遮蔽板２はそれぞれ取り囲んで逆Ｕ字形を形成し、補助板２ａは、第二枠フレーム１２に接続し、２個の遮蔽板２０は、該一対の第三枠フレーム１３にそれぞれ接続し、補助板２ａと２個の遮蔽板２０は、間隔空間ｓ及び古い窓枠２００を共同で遮蔽する。
【００３４】
各補助板２ａは各遮蔽板２と同様に、第一板体２１と第二板体２２にそれぞれ連接する屈折部２３、及び屈折部２３から延伸するサポート部２４を備える。
【００３５】
２個の遮蔽板２の各第二板体２２と相互に対応する両端には、それぞれ欠口２５を開設し、各欠口２５は対応し、古い窓枠２００を隠して設置し、しかも２個の補助板２ａの両端もまた、それぞれ欠口２５に対応して設置される。
【００３６】
図１〜図７に示すように、本考案による窓枠カバーモジュール１００の組合せは、第一枠フレーム１１外周縁の両側に、第一延伸板１１１を延伸し、Ｕ形収容槽１１２を形成する。
【００３７】
第二枠フレーム１２と第一枠フレーム１１は相対して配置し、第二枠フレーム１２外周縁の片側は、第二延伸板１２１を延伸し、第一Ｌ形収容槽１２２を形成する。
【００３８】
該一対の第三枠フレーム１３は相互に相対して配置され、しかも第一枠フレーム１１及び第二枠フレーム１２と連接して取り囲み、枠体１４を形成し、各第三枠フレーム１３外周縁の片側は、第三延伸板１３１を延伸し、第二Ｌ形収容槽１３２を形成する。
【００３９】
該一対の第三枠フレーム１３一端には、Ｕ形収容槽１１２と相互に対応するＵ形欠口１３３１を設置し、反対端には、第一Ｌ形収容槽１２２と相互に対応するＬ形欠口１３４１を設置し、第二枠フレーム１２、各第三枠フレーム１３と古い窓枠１００の間には、間隔空間ｓを形成する。
【００４０】
遮蔽板２０は、第一板体２１、第一板体２１と相互に垂直な第二板体２２及び第二板体２２に開設される欠口２５を備え、第二板体２２は、窓カバー本体１０と古い窓枠２００との間に挿入して設置され、第一板体２１は、窓カバー本体１０に接続し、間隔空間ｓを遮蔽する。
【００４１】
図１〜図７に示すように、本考案による窓枠カバーモジュール１００の使用状態では、該一対の第三枠フレーム１３一端には、Ｕ形収容槽１１２と相互に対応するＵ形欠口１３３１を設置し、反対端には、第一Ｌ形収容槽１２２と相互に対応するＬ形欠口１３４１を設置する。
【００４２】
Ｕ形欠口１３３１は、Ｕ形収容槽１１２及び第二Ｌ形収容槽１３２に連通し、Ｌ形欠口１３４１は、第一Ｌ形収容槽１１４及び第二Ｌ形収容槽１３２に連通する。
【００４３】
これにより、古い窓枠２００上のスライドレール及び凸リブは、Ｕ形収容槽１１２、第一Ｌ形収容槽１２２、第二Ｌ形収容槽１３２、Ｕ形欠口１３３１及びＬ形欠口１３４１中に収容される。
【００４４】
こうして、窓枠カバーモジュール１００は、工場で組み立てを完成し、現場では古い窓枠２００上に直接被せて設置できるため、再施工が不要で、窓枠カバーモジュール１００は、古い窓枠２００に取って代わり、新しい窓枠を便利に形成することができる。
【００４５】
各遮蔽板２及び補助板２ａのサポート部２４は、共同でサポートし、間隔空間ｓの第二板体２２に進入し、第一板体２１は、窓カバー本体１０の片側に接続し、間隔空間ｓを遮蔽し、こうして古い窓枠２００に取り付ける窓カバー本体１０は、美観の効果を達成できる。
【００４６】
図３〜図７に示すように、窓カバー本体１０が古い窓枠２００をカバーすると、各遮蔽板２及び各補助板２ａの第二板体２２（室外側に属する）は、窓カバー本体１０と古い窓枠２００との間にそれぞれ挿入され、各遮蔽板２及び補助板２ａの第一板体２１は、それぞれ窓カバー本体１０に接続し、間隔空間ｓ及び古い窓枠２００を遮蔽する。
【００４７】
しかも、相互に対応する２個の欠口２５を備える遮蔽板２及び補助板２ａは、窓カバー本体１０と古い窓枠２００との間の間隔空間ｓにスピーディーに挿入して設置され、各遮蔽板２及び補助板２ａは相互に接続して定位され、各遮蔽板２及び補助板２ａをさらに堅固に固定する。
【００４８】
この時、さらにそれぞれ固接パーツ及び／或いは粘着剤４により固接することで、既存の古い窓枠２００を覆い隠してしまい、新しい窓カバー本体１０に交換する取り付け作業を完成する。
【００４９】
こうして、取り付けが簡便で、間隔空間ｓ遮蔽等の美観の効果、便利な定位を達成し、同時に好ましい構造強度、耐用性を達成し、しかも接合位置への風や水の進入を効果的に防止できる。
【００５０】
図１、図２に示すように、第一枠フレーム１１外周縁の両側は、第一延伸板１１１を延伸し、Ｕ形収容槽１１２を形成し、第二枠フレーム１２外周縁の片側は、第二延伸板１２１を延伸し、第一Ｌ形収容槽１２２を形成するため、枠体１４片側はＵ形造型で、反対側はＬ形造型である。
【００５１】
こうして、枠体１４は、古い窓枠２００に容易に取り付けられ、及び古い窓枠２００との間の間隔距離を縮められ、窓枠カバーモジュール１００は取り付けが便利で、枠口視野が大きいという長所を達成することができる。
【００５２】
さらに、図１、図２に示すように、第一枠フレーム１１は、Ｕ形収容槽１１２の底部に、階段状底壁１１２１を形成し、各階段状底壁１１２１は、枠体１４内に形成される第一底壁１１２２及び第二底壁１１２４を備え、第一底壁１１２２の高さは、第二底壁１１２４の高さより高く、高低位差ａ１を形成する。
【００５３】
これにより、第二底壁１１２４の水滴は、高低位差ａ２に止められ、第一底壁１１２２に流入することはなく、こうして窓枠カバーモジュール１００は、浸水防止の効果を達成する。
【産業上の利用可能性】
【００５４】
本考案は特許登録の要件である新規性を備え、従来の同類製品に比べ十分な進歩を備え、実用性が高く、社会のニーズに合致しており、産業上の利用価値は非常に大きい。
【符号の説明】
【００５５】
１００  窓枠カバーモジュール
１０  窓カバー本体
１１  第一枠フレーム
１１１  第一延伸板
１１１１  第一頂端
１１１２  第二頂端
１１２  Ｕ形収容槽
１１２１  階段状底壁
１１２２  第一底壁
１１２３  第一スライドレール
１１２４  第二底壁
１１２５  第二スライドレール
１２  第二枠フレーム
１２１  第二延伸板
１２２  第一Ｌ形収容槽
１３  第三枠フレーム
１３１  第三延伸板
１３２  第二Ｌ形収容槽
１３３１  Ｕ形欠口
１３３２  階段状底縁
１３４１  Ｌ形欠口
１４  枠体
２０  遮蔽板
２ａ  補助板
２１  第一板体
２２  第二板体
２３  屈折部
２４  サポート部
２４１  受け止めセクション
２４２  切槽
２４３  連接セクション
２５  欠口
４  粘着剤
ａ１、ａ２  高低位差
ｓ  間隔空間
２００  古い窓枠
【図１】
0003211241.tif 000003
【図２】
0003211241.tif 000004
【図３】
0003211241.tif 000005
【図４】
0003211241.tif 000006
【図５】
0003211241.tif 000007
【図６】
0003211241.tif 000008
【図７】
0003211241.tif 000009